(57)【要約】【構成】筒状本体の下方開口端に印面を設け、本体の外周には下方より、弾発保持されたスライド、スライドを覆うスライド外装を固定させ、スライド外装の上方位置には固定部材を固定させ、前記固定部材の一部、スライド外装の上方開口端に嵌合し、本体上方開口端を覆い隠すように設けられたグリップを有する印判において、リング状の固定部材の大径部を復元可能な弾性構成を設けて、グリップの内壁と当接嵌合することを特徴とする印判である。【効果】特に連結部８は軸線に対しての角度Ａについて、０°＜Ａ＜９０°をなす角度で設けているので、長い使用に際しても、グリップ９のガタツキや緩みが無く確実に本体１を保持できる。【選択図】　　　　　　図２
2004136472.tif 000002
【特許請求の範囲】
【請求項１】
筒状本体の下方開口端に印面を設け、本体の外周には下方より順に、弾発部材で弾発保持されたスライド、前記スライドを覆うスライド外装を固定させ、スライド外装の上方位置には固定部材を固定させ、前記固定部材の一部、スライド外装の上方開口端に嵌合し、本体上方開口端を覆い隠すように設けられたグリップを有する印判において、
リング状の固定部材の大径部を復元可能な弾性構成を設けて、グリップの内壁と当接嵌合することを特徴とする印判。
【請求項２】
固定部材の大径部と小径部の連結を本体中心線より０°＜角度＜９０°を持たせて弾性構成としたことを特徴とした請求項１に記載した印判。
【発明の詳細な説明】
【０００１】
【産業上の利用分野】
本願発明は、着脱自在なグリップを有する印判に関するものである。
【０００２】
【従来の技術】
従来より印判には、印字体の後ろからインキ補充を可能にする印判がある。
また、インキの補充を必要としないまでも、印判のデザイン上グリップを取り付ける必要がある。
これら印判は、印字体にインキを含浸させたインキ自給方式であり、捺印でインキを使用していくと印影が薄くなり、インキの補充を必要とするものである。
こうした、印判はグリップを取り外してインキを補充する。すると前記したグリップを取り外した場合、固定リングの大径部の径が内側に倒れ、小さくなっている。
小さくなっているとグリップ内壁面と固定リングの当接嵌合がゆるくなり、グリップのぐらつきや嵌合の保持力がゆるくなる。
【０００３】
こうした形状の出願は、実開昭５７−１１５６５号公報（以下、（イ）とする。）、実公昭５５−２０５２８号公報（以下、（ロ）とする。）、実公昭４８−２９４３号（以下、（ハ）とする。）がある。
【０００４】
（イ）は、固定筒体２０を有し、前記固定筒体２０は大径の筒体部と小径の筒体部からなっており、大径の筒体部はスリット１６を設け、把持体１０の内壁面に圧接して把持部１０を固定保持している。またこの時スリット１６を設けて、弾性保持している。
しかし、こうした固定筒体２０は、大径の筒体部と小径の筒体部の端を連続させており、同心円で円周が重ならないように設けられている。
【０００５】
こうした固定筒体は、大径の筒体部と小径の筒体部の連結に当る短筒部１５の下方位置では凋み状態は生じることはない。しかし有底筒体形状の把持体の内壁面は、型抜きのテーパや、形状上のテーパを有しており、把持体との嵌合で、短筒部１５の上方端は中央に凋むことになる。スリット１６は設けられていても、上方端のスリット幅は小さくなり元の形状位置に戻らない。特に上方端（大径の筒体部の上方端）ではその傾向が生じる。こうした先凋み状態の固定筒体では再度把持体を固定筒体で安定的に固定保持できない。
よって、把持体の脱落や、把持体の回転が生じ把持体に印面の正面位置を印す印しが有る場合、正面位置が動いて不明になる。
【０００６】
（ロ）は、（イ）と同様な形状をした固定筒体１０を使用しており、問題点も同様な問題を生じるものである。
（ハ）は、（イ）と同様な形状をしているが、特に印判に関するものではなく、考案の名称にもある様に２部材の接合装置（接合部材）である。同様に反復使用に耐えうるものとして記載されているが、繰り返し使用していくと接合用筒部５の先端、即ち切込み４を設けた先端部分が連結による嵌合により凋む状態になる。
【０００７】
更に、実公平４−５３３５号（以下、（ニ）とする。）、実公平４−１４２１８号（以下、
（ホ）とする。）があり、これらは共に印判における調節部材であり、その機能上回り止め機構を設けたものである。例えば、（ニ）については、端面に係止用凸部１７を設け、これに対応する様に飾筒部の内部に係止用凹部１４を設けて回り止め効果を得ている。本発明とは構成を異にしており、ロック構成自体に弾性を持たせ、ロック時に確実にロックされている手応えをえるにはスプリング等が必要となる。
【０００８】
（ホ）は、周面に係止用凹部１４を設け、調整部材１０の弾性爪片１９の係止用凸部２０を有して調整機能上の回り止め機構を設けたものである。（ホ）は、２本の弾性爪片１９だけであり、この弾性爪片１９が、成形後及び使用時していくと外側に開くといった状態になり、確実なロック時の感覚を得られない。また反対に中側に拝むとロックがきつくなり安定的なロック状態を得られない。
【０００９】
【特許文献１】
実開昭５７−１１５６５号公報　（第１図、第２図）
【特許文献２】
実公昭５５−２０５２８号公報　（第１図、第２図、第３図）
【特許文献３】
実公昭４８−２９４３号公報　　（第１図、第２図）
【特許文献４】
実公平４−５３３５号公報　　　（第２図）
【特許文献５】
実公平４−１４２１８号公報　　（第２図）
【００１０】
【発明が解決しようとする課題】
以上のような従来技術により、こうした先凋み状態の固定筒体では再度把持体を固定筒体で安定的に固定保持できない。よって、把持体の脱落や、把持体の回転が生じ把持体に印面の正面位置を印す印しが有る場合、正面位置が動いて不明になる。また、使用経過していく際、及び成型後にロック構成自体にロック構成がきつくなったり、ゆるくなったりして使用感が失われると共に、安定的なロック状態を得られない。
といった課題があり、本発明は、確実な固定状態を維持すると共に、同時に確実なロック状態を維持する印判を提供する。
【００１１】
【課題を解決するための手段】
筒状本体の下方開口端に印面を設け、本体の外周には下方より順に、弾発部材で弾発保持されたスライド、前記スライドを覆うスライド外装を固定させ、スライド外装の上方位置には固定部材を固定させ、前記固定部材の一部、スライド外装の上方開口端に嵌合し、本体上方開口端を覆い隠すように設けられたグリップを有する印判において、
リング状の固定部材の大径部を復元可能な弾性構成を設けて、グリップの内壁と当接嵌合することを特徴とする印判であり、また固定部材の大径部と小径部の連結を本体中心線より０°＜角度＜９０°を持たせて弾性構成としたことを特徴とした印判である。
【００１２】
【実施例】
本発明の実施例を図２、図３、図４、図５、図６、図７、図８、図９より詳細に説明する。
１は、本体であり、下端面に印字体を有している。この本体の実施例は２種類あり、印字体を連続多孔質体を用いており、本体１は筒状であり、上方端をインキ補充口として使用出来る従来からの構成である。
２は、受金であり、印字体又はインキ吸蔵体を本体の下端面に保持させている。
【００１３】
３は、スライドであり受金２と本体１の下方部分を覆い隠している。本体１の外周に設けた鍔により下方位置の固定を行い、スプリングと前記本体の鍔により保持されている。
スプリングの他方端は、スライド外装４の内壁に設けられた鍔により保持されている。こうしてスライド３は常に下方に弾発保持される。
４は、前記したようにスライド外装であり、本体１に嵌合固定されている。
５は、筒状の固定部材であり、本体１と嵌合固定する小径筒部６とグリップ９の内壁面と圧入当接固定する大径筒部７と前記小径筒部６と前記大径筒部７を連結する弾性力のある連結部８により、連結されている。
前記連結８は４ヶ所設けられているが、その本数はトハない
【００１４】
小径筒部６には、スリット１２と固定爪１０が内壁面に設けられており、本体１に嵌合固定する。この時、スリット１２により小径筒部６は本体１に嵌合する際、弾性力を有することになる。また、大径筒部７は、均等に４等分割されており、更に外周には印判の軸線に対して平行に鋸歯状のローレット１１が設けられている。
したがって本実施例では、４等分割されたそれぞれが連結部８の１本づづで連結されており、分割数と連結部８の本数は同一である。しかし、前記大径筒部７の分割数は問わない。
スリット１２は本実施例では均等に２本設けられているが、その本数は問わない。
また数本のスリット１２の１本に本体１の外周に設けた凸部１４が噛合い、固定部材５の回転を確実に防止することも可能である。
【００１５】
９は、前記したようにグリップであり、有底筒状を有しており、ローレット１１と凹凸部の凹と噛合うように内壁面にリブ１３を設け、固定部材５が確実に回転防止されているので、同時にグリップ９の回転を防止する。
更に、前記ローレット１１の凹凸部の凸はグリップ９の内壁面と圧着嵌合しており、グリップ９の左右の揺らぎを防止する。この時、圧着嵌合に際して、連結部８が軸線側に撓むことになる。前記リブ１３は３本、１２０°づつ均等に設けられている。リブ１３は、１本以上で有れば本発明は使用可能である。
【００１６】
次に、本発明の組み付けについて詳細に説明する。本体１の下端面に印字体またはインキ吸蔵体を受金により保持させる。本体１の上方よりスライド３を挿入し、上方よりスプリングを装着させ、更に上方よりスライド外装４を本体に嵌合固定させる。そして、スプリングの一方をスライド３に当接させ、他方はスライド外装４の内壁面と当接支持されている。したがって、スライド３は常に下方に弾発支持されている。
次に、固定部材５を本体１の上方より挿入させ、本体１の外周面に設けた溝に固定爪１０が噛合い固定させる。前記も述べたようにこの時、小径筒部６に設けたスリット１２と本体１周面に設けた凸部１４とが噛合わされている。そして、本体１の上方開口端には補充口栓１５を嵌合固定させている。最後に、グリップ９を本体１の上方より覆いグリップ９の開口端とスライド外装４の外周面と圧入嵌合されるとともに、グリップ９の内壁面に大径筒部７の外周に設けられたローレット１１と圧着固定し、前記グリップ９を安定保持させる。
【００１７】
また、本発明の作用を中心に詳細に述べる。グリップ９の装着時には、大径筒部７は軸線側に押圧され、連結部８は印判の軸線に対しての角度Ａについて、０°＜Ａ＜９０°をなす角度で設けることが可能である。こうして設けた連結部材は、従来のようにＡ＝９０°とは異なり弾発力と同時に復元力を有しており、グリップ９を外すと、軸線方向に押圧されていた連結部は斜めであることから元の位置に復元することになる。こうして、長い使用に際しても、グリップ９のガタツキや緩みが無く確実に本体１を保持でき、捺印が可能となる。特に、復元力と弾発力を持つ角度Ａの最適範囲は、１０≦Ａ≦７０である。
【００１８】
またこれは、グリップ９を外して、補充口栓を取り外しインキを補充する際にも、言えることであり、特にインキ補充後、再度グリップ９を本体１に嵌合させるときに緩みや、ガタツキがない印判が得られる。図７にみられるように点線の様に撓みグリップ９内壁面と圧着嵌合する。そして、グリップ９を外すと実線の形状（元の位置）に戻る。
【００１９】
本発明の他の実施例を図８、図９を使用して詳細に説明する。無垢の棒状の本体１０１であり、下端部に印字体を設け並びにそのままでも捺印可能である。こうした捺印具は飾りも何も無く、また手で握るには小さい径であるので、捺印の際に綺麗に正確に捺印できないと言ったことがある。そうしたことから、大きなグリップ１０９を設けたり、また装飾としてグリップ１０９を設けたりする。
【００２０】
その際、グリップ１０９と本体１０１を連結（固定する）する為に固定部材１０５を設けることも可能である。又そうした際、本体１０１の直径が多少異なるものに対しても、前記固定部材１０５は対応可能である。これは、大径筒部７と小径筒部６を連結する連結部８が軸線に対して角度Ａを０°＜Ａ＜９０°を有していることによる。本実施例も特に、復元力と弾発力を持つ角度Ａの最適範囲は、１０≦Ａ≦７０である。
よって、固定部材１０５の弾発力と復元力が長く確保でき、どんな直径の本体１０１であってもグリップ１０９で確実に保持でき、綺麗な印影を提供できる。
本実施例にも同様に、ローレット１１とリブ１３を設けることも可能であり、グリップ１０９の回転止めとなる。
【００２１】
【効果】以上のような構成であるので、特に連結部８は軸線に対しての角度Ａについて、０°＜Ａ＜９０°をなす角度で設けているので、長い使用に際しても、グリップ９のガタツキや緩みが無く確実に本体１を保持でき、捺印が可能となる。また、ローレット１１とグリップ９の内壁面に設けたリブ１３によりグリップ９の回転を防止し、グリップ９に正面位置が有る場合印面の正面位置がずれることはない。
更に、棒状の本体１０１の場合、本体１０１の直径が多少異なるものに対しても、前記固定部材１０５は対応可能であり、どんな直径の本体１０１であってもグリップ１０９で確実に保持でき、綺麗な印影を提供できる。
【００２２】
【図面の簡単な説明】
【図１】従来の実施例の説明図
【図２】本発明の実施例の断面図。
【図３】本発明の実施例の固定部材５の説明図。
【図４】本発明の実施例のグリップ９の説明図。
【図５】本発明の実施例の固定部材５、グリップ９と本体１の組立説明図。
【図６】本発明の実施例の固定部材のＯＡ断面説明図。
【図７】本発明の実施例の固定部材５の作用説明図。（破線は、撓み状態を表す。）
【図８】本発明の別の実施例の断面図。
【図９】本発明の実施例の固定部材５の略断面図。
【符号の説明】
１　：本体
２　：受金
３　：スライド
４　：スライド外装
５　：固定部材
６　：小径筒部
７　：大径筒部
８　：連結部
９　：グリップ
１０：固定爪
１１：ローレット
１２：スリット
１３：リブ
１４：凸部
１５：補充口栓
１０１：本体
１０５：固定部材
１０９：グリップ
【図１】
2004136472.tif 000003
【図２】
2004136472.tif 000004
【図３】
2004136472.tif 000005
【図４】
2004136472.tif 000006
【図５】
2004136472.tif 000007
【図６】
2004136472.tif 000008
【図７】
2004136472.tif 000009
【図８】
2004136472.tif 000010
【図９】
2004136472.tif 000011